【手続補正書】
【提出日】平成16年3月29日(2004.3.29)
【手続補正１】
【補正対象書類名】明細書
【補正対象項目名】特許請求の範囲
【補正方法】変更
【補正の内容】
【特許請求の範囲】
【請求項１】
測定者が測定面に乗ることにより測定者の体重を測る体重計において、体重測定手段と、測定者の個別データを入力する入力手段と、測定面に設けた電極と、この電極を用いて測定者の体脂肪を測定する手段と、測定結果等を表示する表示手段と、測定結果を演算して表示手段に表示する演算手段と、体重を測定する体重測定モードと、体重とＢＭＩとを測定する体重ＢＭＩモードと、体重と体脂肪とを測定する脂肪測定モードとを切り替える切替手段とを備えた測定モード切替式体重計。
【請求項２】
請求項１において、入力手段は測定者の性別、年齢、身長等を入力することを特徴とする測定モード切替式体重計。
【請求項３】
請求項１において、入力手段が切替手段とを兼用したことを特徴とする測定モード切替式体重計。
【手続補正２】
【補正対象書類名】明細書
【補正対象項目名】０００４
【補正方法】変更
【補正の内容】
【０００４】
【課題を解決するための手段】
本発明は、測定者が測定面に乗ることにより測定者の体重を測る体重計において、重量測定手段と、測定者の個別データを入力する入力手段と、測定面に設けた電極と、この電極を用いて測定者の体脂肪を測定する手段と、測定結果等を表示する表示手段と、測定結果を演算して表示手段に表示する演算手段と、体重を測定する体重測定モードと、体重とＢＭＩとを測定する体重ＢＭＩモードと、体重と体脂肪とを測定する脂肪測定モードとを切り替える切替手段とを備えたものである。


【手続補正３】
【補正対象書類名】明細書
【補正対象項目名】０００５
【補正方法】変更
【補正の内容】
【０００５】
また、入力手段は測定者の性別、年齢、身長等を入力することを特徴とするものである。さらに、入力手段が切替手段を兼用したものである。
【手続補正４】
【補正対象書類名】明細書
【補正対象項目名】０００８
【補正方法】変更
【補正の内容】
【０００８】
図２は入力手段８と表示手段９の詳細図で、入力手段８は電源スイッチ１９、データの入力やモードの切り替えを行うためのセットキー１５、データの数値を上昇させるためのアップキー１６、データの数値をダウンさせるためのダウンキー１７、重量単位であるｋｇ（キログラム）とｌｂ（ポンド）とを切り替える重量切替キー１８からなる。なお、入力手段８には部番を付していないが、体重測定手段２の経年変化をキャンセルするゼロリセットキーも設けてある。
また、表示手段９は、男女の性別とアスリートの表示、年齢（ＡＧＥ）を示すマークと年齢数値、脂肪率測定モード（ＦＡＴ％）を示すマークを画面の左画に設ける。表示手段９の画面の右側には、体重測定モード（ＷＥＩＧＨＴ  ＭＯＤＥ）を示すマーク、身長（ＨＥＩＧＨＴ）を示すマーク、ＢＭＩを示すマーク、体重測定のために上面３に測定者が乗ることを促すＳＴＥＰ  ＯＮマークを設ける。さらに、この画面の中央部には体重、身長の数値を表示する部分とその重量単位と長さ単位とを表示する部分とを上部に、下部に体脂肪率とＢＭＩとの数値を表示する部分とを設ける。


【手続補正５】
【補正対象書類名】明細書
【補正対象項目名】００１０
【補正方法】変更
【補正の内容】
【００１０】
次に図１から図７を用いて本体重計１の動作を説明する。
最初に体重計１の電源スイッチ１９を押すと（ステップＳ１）、マイクロコンピュータが初期設定され（ステップＳ２）、体重、身長の数値を示す数値表示部が数秒間点滅する。この状態でセットキー１５を押すとステップＳ３でＹｅｓと判断され、ステップＳ１７に進むが、セットキー１５を押さなければステップＳ４以降の体重・体脂肪率測定モードに進む。ステップ４は重量単位を切り替える重量単位切替キー１８のオン・オフを判断するもので、オンしなければポンド（ｌｂ）を、オンすればｋｇを体重計１の単位として、設定される（ステップＳ５、６）。この設定により、表示部９の重量単位を表示する部分には、ｋｇかｌｂかの一方が表示され、長さの単位もｃｍ（センチメートル）かｆｔ−ｉｎｃｈ（フィート−インチ）かの一方が表示される。この説明では、ｋｇが設定されるので、このｋｇに対応する長さの単位としてｃｍが設定される。ステップＳ７では、性別・アスリートの設定を行うものであり、アップキー１６とダウンキー１７を押すことにより、男性（ＭＡＬＥ）、女性（ＦＥＭＡＬＥ）、男性のアスリート、女性のアスリートの４種類を選択し、セットキー１５を押すことにより選択を確定する。このとき男性のアスリートと女性のアスリートとを選択すると、表示は男女いずれかのマークとアスリートのマークとが同時に表示される。図５（ａ）は男性を選択したときの表示を示すものである。次にステップ８で年齢を入力する場合、表示部９の年齢（ＡＧＥ）を示すマークが点灯するとともに、年齢の数値を表示する部分に初期値の２５が表示されるので、アップキー１６又はダウンキー１７を押して測定者の年齢に数値に合わせ（図５（ｂ））、セットキー１５を押すことにより、この年齢を確定させ、ステップ９に進む。ステップ９では、まず表示部９の身長（ＨＥＩＧＨＴ）を示すマークを点灯させるとともに、長さの単位であるｃｍを表示し、身長の初期値の１５０を表示する。この１５０の値をアップキー１６又はダウンキー１７を押して、図５（ｃ）で示すように例えば１７０センチのごとく測定者の身長値にし、セットキー１５を押して確定させる。確定するとステップ１０に進み、図５（ｄ）で示すように表示部９の重量単位をｋｇにし、体重値を０．０にする。そして測定者が体重計１の上面３に乗って測定するように促すべく表示部９のＳＴＥＰ  ＯＮのマークを点灯させる。そして測定者が上面３に乗ると、はかり部２で体重が測定され、そのデータが演算処理部１０に送られ表示部９に表示される。次にステップ１１で測定者の電気インピーダンスを測定することになるが、このときには、表示部９は図５（ｅ）で示すように脂肪率（ＦＡＴ％）を示すマークが点灯し、電流供給部１１から所定周波数の一定電流が左右足用の電極６、７の一方の対間を流れ、足用電極６、７の他方の対間で電圧測定を測定することにより、演算処理部１０でインピーダンスが演算され、さらに公知の演算式から測定者の体脂肪率が演算され、その結果は、ステップ１３で図５（ｆ）に示すように表示される。この表示では、性別、年齢、体重、体脂肪率の４つが表示される。この表示は、ステップ１４で例えば３０秒のタイマーがセットされ、ステップ１５で電源スイッチ１９以外の���のキーが押されなければ、ステップ１６でこのタイマーがタイムアウトするまで継続される。ステップ１５で他のキーが押されるか３０秒経過してタイマーがタイムアウトすると、ステップ７に戻り、他の人の体重と体脂肪率の測定ができるようになっている。


【手続補正６】
【補正対象書類名】明細書
【補正対象項目名】００１１
【補正方法】変更
【補正の内容】
【００１１】
次に、ステップＳ３でセットキー１５がオンされると、ステップ１７で再度セットキー１５がオンされたか否かを判断し、オンされなければステップＳ２６に進み、オンされていれば、図６（ａ）に示すように体重（ＷＥＩＧＨＴ）を示すマークを点灯するとともに体重の数値を０．０にして、体重とＢＭＩとの測定モードであるステップ１８以降に進む。ステップ１８ではステップ９と同様にして図６（ｂ）で示すように身長（ＨＥＩＧＨＴ）を表示するとともに測定者の身長を入力する。ステップ１９は、図６（ｃ）で示すようにまずＢＭＩのマークを点灯するとともに、重量単位を表示し、体重の数値を０．０にする。さらに、ＢＭＩの値を表示する部分を０．０にするとともに、測定者が体重計１の上面３に乗って測定するように促すべく表示部９のＳＴＥＰ  ＯＮのマークも点灯する。そしてステップ２０ではかり部２からのデータを処理するとともに、ＢＭＩを演算し、ステップ２１で図６（ｄ）のように体重とＢＭＩとの値を表示する。ステップＳ２２からステップＳ２４では、ステップＳ４からステップＳ６までと同様に重量単位を切り替える。その後ステップ２５でセットキー１５がオンされなければ、ステップＳ１９に戻り、同一測定者の体重とＢＭＩとの測定を繰り返すことになる。ステップ２５でセットキー１５がオンされていれば、ステップ１７に戻る。


【手続補正７】
【補正対象書類名】明細書
【補正対象項目名】００１２
【補正方法】変更
【補正の内容】
【００１２】
このステップ１７でセットキー１５がオンされていなければ、ステップＳ２６で図７（ａ）で示すように体重（ＷＥＩＧＨＴ  ＭＯＤＥ）のマークを点灯し、体重の数値を０．０にし、さらに測定者が体重計１の上面３に乗って測定するように促すべく表示画面のＳＴＥＰ  ＯＮのマークも点灯する。そして測定者が上面３に乗ると、はかり部２で体重を測定し、そのデータが演算処理部１０に送られ、ステップＳ２７で図７（ｂ）に示すように表示する。ステップＳ２８からステップＳ３０の重量単位切り替えのステップは、ステップＳ４からステップＳ６と同様であるので説明を省略する。ステップＳ２９、Ｓ３０の後はステップＳ１７に戻る。


【手続補正８】
【補正対象書類名】明細書
【補正対象項目名】００１４
【補正方法】変更
【補正の内容】
【００１４】
【発明の効果】
本発明は、測定者が測定面に乗ることにより測定者の体重を測る体重計において、体重測定手段と、測定者の個別データを入力する入力手段と、測定面に設けた電極と、この電極を用いて測定者の体脂肪を測定する手段と、測定結果等を表示する表示手段と、測定結果を演算して表示手段に表示する演算手段と、体重を測定する体重測定モードと、体重とＢＭＩとを測定する体重ＢＭＩモードと、体重と体脂肪とを測定する脂肪測定モードとを切り替える切替手段とを備えたことにより、一台の装置で複数の測定モードを切り替え、個人の使用や集団検診等に使用できる。また、最近の集団検診で追加事項として必要とされるＢＭＩの測定にも対応できる。
【手続補正９】
【補正対象書類名】明細書
【補正対象項目名】００１５
【補正方法】削除
【補正の内容】